(57)【要約】【課題】  本考案は、視野角外にある状況を広範囲にわたって視認することができ、しかも、視野内に送られる像が、左右の逆転のない正しい像として投影される新規な視認具を提供することを目的とする。【解決手段】  視野角外にある状況を確認するための視認具であって、該視認具は、基台に備え付けられた二つの反射体からなり、前記二つの反射体につき、一の反射体は投影された像をもう一方の反射体に向かって反射し、当該もう一方の反射体は反射投影された像を視野内に反射するように配置したことを特徴とする視認具。【選択図】  図２
0003128824.tif 000002
【実用新案登録請求の範囲】
【請求項１】
視野角外にある状況を確認するための視認具であって、該視認具は、基台及び該基台に備え付けられた二つの反射体からなり、前記二つの反射体につき、一の反射体は投影された像をもう一方の反射体に向かって反射し、当該もう一方の反射体は反射投影された像を視野内に反射するように配置したことを特徴とする視認具。
【請求項２】
基台がケーシングであり、二つの反射体を該ケーシング内に備えると共に、該ケーシング内壁に暗色を施してなる請求項１に記載の視認具。
【請求項３】
基台が伸縮可能である請求項１又は２に記載の視認具。
【請求項４】
更に、取り付け具が備えられてなる請求項１ないし４のいずれか１項に記載の視認具。
【考案の詳細な説明】
【技術分野】
【０００１】
本考案は、例えば、後方などの視野角外にある状況を、振り向くことなく確認するための視認具に関する。
【背景技術】
【０００２】
一般的な人間の視野角は、例えば、水平方向につき、内側に向かって約７０度、外側に対して約１００度程度であり、そのため、視野角外の状況を確認するためには、眼球を動かして視線を当該方向に向けたり、首や体を回して視野を当該方向に向けたりする動作が必要となる。
【０００３】
通常生活であれば、このような動作で充分事足りるのであるが、首や体に疾患を抱えているために前記動作を行うことが困難な者や、前記動作を行うための場所的或いは時間的な余裕がない状況下におかれた者にとっては、視野を当該方向に向けることなく、視野角外にある状況を確認することが必要になる。
【０００４】
この要求に対し、眼球を動かして視線を当該方向に向けたり、首や体を回して視野を当該方向に向けたりする動作を行うことなく、視野角外の状況を確認することができる道具や装置についての研究・開発が行われている（例えば、下記の特許文献１〜９参照。）。
【０００５】
【特許文献１】特開平７−２８１１３９号公報
【特許文献２】特開２０００−３０５０５４号公報
【特許文献３】特開２００２−１４８５６８号公報
【特許文献４】実用新案登録第３０８０２７６号公報
【特許文献５】特開２００２−４５２３０号公報
【特許文献６】特開２００４−１０２２０６号公報
【特許文献７】特開２００５−１８１４２７号公報
【特許文献８】実用新案登録第３１１４６４７号公報
【特許文献９】実用新案登録第３１２１６０２号公報
【考案の開示】
【考案が解決しようとする課題】
【０００６】
しかしながら、前記特許文献１〜９に記載された発明（考案）は、いずれも単一の鏡を用いて後方などの視野角外の状況を確認するものであることから、使用者自身の顔や耳などが邪魔をして、広範囲にわたって視認することが困難であり、又、鏡上に左右反対に投影された情報しか得ることができないものであった。
【０００７】
そこで、本考案者が、このような問題を解決すべく鋭意検討を重ねた結果、視野角外にある状況を確認するための視認具であって、該視認具は、基台及び該基台に備え付けられた二つの反射体からなり、前記二つの反射体につき、一の反射体は投影された像をもう一方の反射体に向かって反射し、当該もう一方の反射体は反射投影された像を視野内に反射するように配置したことを特徴とする本考案の視認具を開発するに至ったのである。
【０００８】
即ち、本考案者は、この種、視野角外にある状況を確認するための視認具につき、二つの反射体を用い、この二つの反射体による反射投影を利用して、視野角外にある状況を像として視野内に送れば、顔や耳に邪魔されることなく、広範囲にわたって視認することが可能になるとの知見を得たのである。
【０００９】
又、この二つの反射体による反射投影を利用した場合、視野内に送られる像は、左右逆転のない正しい像として投影されるのであり、これより、得られる情報の把握がより正確になるとの知見も得たのである。
【００１０】
本考案は、上記知見に基づき完成されたものであり、視野角外にある状況を広範囲にわたって視認することができ、しかも、視野内に送られる像が、左右の逆転のない正しい像として投影される新規な視認具を提供することを目的とする。
【課題を解決するための手段】
【００１１】
以上の課題を解決する手段である本考案の視認具は、視野角外にある状況を確認するための視認具であって、該視認具は、基台及び該基台に備え付けられた二つの反射体からなり、前記二つの反射体につき、一の反射体は投影された像をもう一方の反射体に向かって反射し、当該もう一方の反射体は反射投影された像を視野内に反射するように配置したことを特徴とする。
以下、本考案の視認具について詳細に説明する。
【００１２】
本考案の視認具は、視野角外にある状況を確認するための視認具であり、該視認具は、「基台」、及びこの基台に備え付けられた「反射体」からなる。
【００１３】
前記「基台」は、後述する反射体を備えるための土台となるものであり、使用中に破損したり、変形したりしない程度の物理的強度を有するものであれば特に限定されるものではなく、具体的に例えば、金属、プラスチック、木、或いは紙などの各種素材を所望の形状に加工したものを用いれば良いのである。
【００１４】
又、前記「基台」の形状についても、特に限定されるものではないが、反射体上において光が過剰に反射すると、反射体上に投影された像が視認しにくくなることから、これを避けるために、筒型或いは箱型などのケーシング状に形成し、その内部に反射体を挿入・配置できるように構成することが好ましい。
【００１５】
更に、この際、ケーシング状の基台の内壁を、黒、褐色、暗緑色、或いは暗青色などの暗色を施せば、より一層、反射体上において光が過剰に反射することを避けることができ、反射体上に投影された像を視認しやすくなるのである。
【００１６】
加えて、前記基台は、後述する二つの反射体同士の隔離距離を変えることができるように、伸縮自在となるように構成することが好ましく、このように構成することにより、更に、使用中に顔や耳などに邪魔されることがなくなり、一層広範囲にわたって視野角外の情報を視認することができるようになるのである。
【００１７】
一方、前記「反射体」としては、その表面に像を投影し得るものであれば特に限定されるものではなく、現在公知の反射体を適宜選択して用いれば良く、具体的に例えば、平面鏡、凸面鏡、又は凹面鏡などの各種鏡等を挙げることができる。
【００１８】
そして、本考案においては、前記基台に対し、このような反射体を二つ備えた点に最も大きな特徴を有する。
【００１９】
即ち、本考案の視認具に備えられる反射体には、視野角外にある状況を投影すると共に当該投影された像をもう一方の反射体に向かって反射する役目を担う反射体と、反射投影された像を視野内に反射する役目を担う反射体、の二つの反射体が存在するのであり、このように二つの反射体による反射投影を利用しているから、顔や耳に邪魔されることなく、広範囲にわたって視認することが可能になるのであり、又、視野内に送られる像が、左右の逆転のない正しい像として投影されるのであり、これより、得られる情報の把握がより正確になるのである。
【００２０】
ところで、本考案の視認具は、使用者が手持ちで使用しても良いのであるが、使用性を向上するために、眼鏡や帽子などの装身具、或いは髪の毛や耳、鼻などの人体の一部に取り付けて使用できるように構成することが好ましい。
【００２１】
そのため、本考案においては、更に、取り付け部を設けることが好ましく、この取り付け部としては、本考案の視認具を、眼鏡や帽子などの装身具、或いは髪の毛や耳、鼻などの人体の一部に取り付け得るものであれば特に限定されるものではなく、具体的に例えば、クリップやフック、バンド、安全ピン、或いは面状ファスナーなどを挙げることができる。
【考案の効果】
【００２２】
本考案は、前記構成を有し、視野角外にある状況を広範囲にわたって視認することができ、しかも、視野内に送られる像が、左右の逆転のない正しい像として投影される新規な視認具である。
【００２３】
即ち、本考案の視認具においては、二つの反射体を用い、この二つの反射体による反射投影を利用して、視野角外にある状況を像として視野内に送るように構成しているから、顔や耳に邪魔されることなく、広範囲にわたって視認することが可能になるのである。
【００２４】
又、本考案の視認具においては、この二つの反射体による反射投影を利用しているから、視野内に送られる像は、左右の逆転のない正しい像として投影されるのであり、これより、得られる情報の把握がより正確になるのである。
【考案を実施するための最良の形態】
【００２５】
以下、本考案の実施例を説明するが、本考案はこの実施例に限定されるものではない。
【実施例１】
【００２６】
図１は、実施例１に係る本考案の視認具１を示す模式図（一部の透過状態を点線で表す。）であり、この視認具１は、箱状の基台２、及び基台２内の両端部近辺に備えられた二つの反射体３（３ａ、３ｂ）からなる。
【００２７】
そして、図２の使用状態を示す模式図（上面視による断面図）に示すように、本実施例においては、前記二つの反射体３（３ａ、３ｂ）につき、一の反射体３ａは投影された像をもう一方の反射体３ｂに向かって反射し、当該もう一方の反射体３ｂは反射投影された像を視野内に反射するように配置しているから、使用者Ｓの顔や耳に邪魔されることなく、広範囲にわたって視認することが可能になるのであり、又、視野内に送られる像が、左右の逆転のない正しい像として投影されることから、得られる情報の把握がより正確になるのである。
【実施例２】
【００２８】
図３（ａ）及び（ｂ）は、実施例２に係る本考案の視認具１を示す模式図（一部の透過状態を点線で表す。）であり、この視認具１は、箱状の基台２、及び基台２内の両端部近辺に備えられた二つの反射体３（３ａ、３ｂ）からなる。
【００２９】
ここで、本実施例においては、特に、基台２が基台本体２ａとスライダー２ｂで構成されており、基台本体２ａに対して、スライダー２ｂが伸縮することにより、二つの反射体３（３ａ、３ｂ）の隔離距離を変更することができるのであり、このように構成しているから、より顔や耳などに邪魔されることなく、一層広範囲にわたって視野角外の情報を視認することができるようになるのである。
【００３０】
その余は、前記実施例１と同様であることから、繰り返しを避けるため、個々では説明を省略する。
【実施例３】
【００３１】
図４は、実施例３に係る本考案の視認具１を示す模式図（一部の透過状態を点線で表す。）であり、この視認具１は、箱状の基台２、及び基台２内の両端部近辺に備えられた二つの反射体３（３ａ、３ｂ）からなり、更に、クリップ状の取り付け具４を備えている。
【００３２】
即ち、図５の使用状態を示す図に示すように、本実施例においては、クリップ状の取り付け具４を備え、この取り付け具４を帽子の鍔などに係止することにより、使用性を向上させたものである。
【００３３】
その余は、前記実施例１と同様であることから、繰り返しを避けるため、個々では説明を省略する。
【図面の簡単な説明】
【００３４】
【図１】図１は、実施例１に係る本考案の視認具を示す模式図である。
【図２】図２は、実施例１に係る本考案の視認具の使用状態を示す模式図である。
【図３】図３は、実施例２に係る本考案の視認具を示す模式図である。
【図４】図４は、実施例３に係る本考案の視認具を示す模式図である。
【図５】図５は、実施例３に係る本考案の視認具の使用状態を示す模式図である。
【符号の説明】
【００３５】
１  視認具
２  基台
３  反射体
４  取付部
Ｓ  使用者
【図１】
0003128824.tif 000003
【図２】
0003128824.tif 000004
【図３】
0003128824.tif 000005
【図４】
0003128824.tif 000006
【図５】
0003128824.tif 000007